(57)【要約】【課題】  挿入部先端に設けられた内視鏡外部に露出するガラスレンズを、レンズ枠に対して容易に位置出し可能であり、位置出しされた状態で溶融金属材料を用いてレンズ枠に接合できる、オートクレーブ滅菌に対応可能な内視鏡を提供する。【解決手段】  挿入部先端に配置されたレンズ枠；このレンズ枠の先端部に嵌合されるガラスレンズ；及び上記レンズ枠内周とガラスレンズ外周との間のクリアランス内に流入させた溶融金属材料；を有する内視鏡において、上記レンズ枠とガラスレンズとの間に、該レンズ枠の奥部に位置する両者の機械的な位置出し嵌合部を設け、この位置出し嵌合部の前方に上記溶融金属材料を流入させる環状クリアランス部とを設けたことを特徴とする内視鏡。【選択図】  図２
2005204830.tif 000002
【特許請求の範囲】
【請求項１】
挿入部先端に配置されたレンズ枠；
このレンズ枠の先端部に嵌合されるガラスレンズ；及び
上記レンズ枠内周とガラスレンズ外周との間のクリアランス内に流入させた溶融金属材料；
を有する内視鏡において、
上記レンズ枠とガラスレンズとの間に、該レンズ枠の奥部に位置する両者の機械的な位置出し嵌合部を設け、この位置出し嵌合部の前方に上記溶融金属材料を流入させる環状クリアランス部を設けたことを特徴とする内視鏡。
【請求項２】
請求項１記載の内視鏡において、
上記ガラスレンズは円筒状の全外周面にメタライズ処理が施されている内視鏡。
【請求項３】
請求項１または２記載の内視鏡において、
上記レンズ枠には、奥部に上記ガラスレンズが当接可能なストッパフランジを有する小径孔部と、この小径孔部の前方に設けた、該小径孔部より大径の大径孔部とが形成され、上記ガラスレンズは該小径孔部と同径の一定径であり、該小径孔部と上記ガラスレンズ外周とによって上記位置出し嵌合部が構成され、該大径孔部と上記ガラスレンズ外周によって上記環状クリアランス部が形成されている内視鏡。
【請求項４】
請求項１または２記載の内視鏡において、
上記レンズ枠には、一定径で奥部に上記ガラスレンズが当接するストッパフランジを有する定径嵌合孔部が形成されており、上記ガラスレンズは、この定径嵌合孔部に嵌合する該定径嵌合孔部と同径の大径部と、この大径部の前方に設けた該大径部より小径の小径部とを有し、上記定径嵌合孔部と該大径部によって上記位置出し嵌合部が形成され、該定径嵌合孔部と該小径部によって上記環状クリアランス部が形成されている内視鏡。
【請求項５】
請求項１または２記載の内視鏡において、
上記レンズ枠には、一定径で奥部に上記ガラスレンズが当接するストッパフランジを有する定径嵌合孔部と、この定径嵌合孔部の奥部周囲に該ストッパフランジに跨らせて形成した環状テーパ部とが形成され、上記ガラスレンズは、この環状テーパ部に対応する環状テーパ部と、上記定径嵌合孔部より小径の定径部とを有し、上記レンズ枠とガラスレンズの上記環状テーパ部により上記位置出し嵌合部が形成され、上記定径嵌合孔部と上記定径部により上記環状クリアランス部が形成されている内視鏡。
【請求項６】
請求項１または２記載の内視鏡において、
上記レンズ枠は、上記ガラスレンズの後部をかしめるかしめ部を有する枠本体と、この枠本体に該かしめ部及び上記ガラスレンズ外周を囲んで結合される飾り枠体とを有し、上記かしめ部と上記ガラスレンズの後部によって上記位置出し嵌合部が形成され、上記飾り枠体と上記ガラスレンズ外周によって上記環状クリアランス部が形成されている内視鏡。
【発明の詳細な説明】
【技術分野】
【０００１】
本発明は、内視鏡の対物レンズに関する。
【背景技術】
【０００２】
内視鏡の挿入部先端には通常、複数のレンズ孔が形成されており、これらのレンズ孔に略円筒状のレンズ枠を嵌合固定して、このレンズ枠内に観察光学系や照明光学系（配光レンズ）等の光学系をそれぞれ嵌め込んでいる。さらに、近年は内視鏡の使用後に滅菌するのが一般的になっており、滅菌に数時間を要するＥＯＧ滅菌より、数十分で完了するオートクレーブ滅菌が便利であるため、内視鏡にはオートクレーブ滅菌に対応できることが望まれている。このため、内視鏡の光学系のうち先端に位置して内視鏡外部に露出するレンズを耐熱性に優れるガラスレンズとし、このガラスレンズ外周とレンズ枠内周との間に形成される環状のクリアランスに溶融金属材料を流し込み、この溶融金属材料によってガラスレンズをレンズ枠に接合することが行われている（例えば、特許文献１）。
【０００３】
ガラスレンズはオートクレーブ内の高温高圧の気体によって溶融したり変形せず、かつ、上記溶融金属材料によって高温高圧の気体が上記ガラスレンズ外周とレンズ枠内周の間から内視鏡内に侵入するのが防止されるので、このような構成の内視鏡はオートクレーブ滅菌に対応可能となる。
【特許文献１】特開２０００−６０７９３号公報
【発明の開示】
【発明が解決しようとする課題】
【０００４】
上記ガラスレンズが所望のレンズ性能を発揮するには、ガラスレンズをレンズ枠内の所定の位置に固定する必要がある。しかし、ガラスレンズとレンズ枠を溶融金属材料を用いて接合する前においては、両者の間には環状のクリアランスが存在するので、ガラスレンズはレンズ枠内でその径方向に移動可能である。そのため、ガラスレンズをレンズ枠内の所定位置に位置決めした状態で、ガラスレンズをレンズ枠に溶融金属材料を用いて接合するのは難しい。
【０００５】
なお、オートクレーブ滅菌に対応可能な内視鏡の他の例としては、光学系を構成する全てのレンズの外径をレンズ枠と同径とし、さらに、レンズ枠の先端開口に、これらレンズ群の前方に位置するカバーガラス（ガラス窓）を水密状態で嵌合したものもある。このような構成とすれば、各レンズはレンズ枠に対して径方向に位置出しされるので、所望のレンズ性能を発揮でき、さらに、カバーガラスとレンズ枠の間が水密になっているので、内視鏡先端からオートクレーブ内の高温高圧の気体が内視鏡内に侵入することもない。
【０００６】
しかし、このように先端に位置するレンズの前方にカバーガラスを配置すると、例えば上記光学系が観察光学系の場合には視野角が狭くなり、照明光学系の場合にはカバーガラスから出る光の出射角度が狭くなるという問題が起こる。
【０００７】
本発明の目的は、挿入部先端に設けられた内視鏡外部に露出するガラスレンズを、レンズ枠に対して容易に位置出し可能であり、位置出しされた状態で溶融金属材料を用いてレンズ枠に接合できるオートクレーブ滅菌に対応可能な内視鏡を提供することにある。
【課題を解決するための手段】
【０００８】
本発明の内視鏡は、挿入部先端に配置されたレンズ枠；このレンズ枠の先端部に嵌合されるガラスレンズ；及び上記レンズ枠内周とガラスレンズ外周との間のクリアランス内に流入させた溶融金属材料；を有する内視鏡において、上記レンズ枠とガラスレンズとの間に、該レンズ枠の奥部に位置する両者の機械的な位置出し嵌合部を設け、この位置出し嵌合部の前方に上記溶融金属材料を流入させる環状クリアランス部を設けたことを特徴としている。
【０００９】
ガラスレンズの円筒状の全外周面にメタライズ処理を施せば、溶融金属材料による接合力が向上する。
【００１０】
上記位置出し嵌合部と上記環状クリアランス部は、例えば以下のようにして構成できる。
第１例としては、上記レンズ枠に、奥部に上記ガラスレンズが当接可能なストッパフランジを有する小径孔部と、この小径孔部の前方に設けた、該小径孔部より大径の大径孔部とを形成し、上記ガラスレンズを該小径孔部と同径の一定径とし、該小径孔部と上記ガラスレンズ外周とによって上記位置出し嵌合部を構成し、該大径孔部と上記ガラスレンズ外周によって上記環状クリアランス部を構成する。
【００１１】
第２例としては、上記レンズ枠に、一定径で奥部に上記ガラスレンズが当接するストッパフランジを有する定径嵌合孔部を形成し、上記ガラスレンズを、この定径嵌合孔部に嵌合する該定径嵌合孔部と同径の大径部と、この大径部の前方に設けた該大径部より小径の小径部とを有するものとし、上記定径嵌合孔部と該大径部によって上記位置出し嵌合部を構成し、該定径嵌合孔部と該小径部によって上記環状クリアランス部を構成する。
【００１２】
第３例としては、上記レンズ枠に、一定径で奥部に上記ガラスレンズが当接するストッパフランジを有する定径嵌合孔部と、この定径嵌合孔部の奥部周囲に該ストッパフランジに跨らせて形成した環状テーパ部とを形成し、上記ガラスレンズを、この環状テーパ部に対応する環状テーパ部と、上記定径嵌合孔部より小径の定径部とを有するものとし、上記レンズ枠とガラスレンズの上記環状テーパ部により上記位置出し嵌合部を構成し、上記定径嵌合孔部と上記定径部により上記環状クリアランス部を構成する。
【００１３】
第４例としては、上記レンズ枠を、上記ガラスレンズの後部をかしめるかしめ部を有する枠本体と、この枠本体に該かしめ部及び上記ガラスレンズ外周を囲んで結合される飾り枠体とを有するものとし、上記かしめ部と上記ガラスレンズの後部によって上記位置出し嵌合部を構成し、上記飾り枠体と上記ガラスレンズ外周によって上記環状クリアランス部を構成する。
【発明の効果】
【００１４】
本発明によると、挿入部先端に設けられた内視鏡外部に露出するガラスレンズを、レンズ枠に対して容易に位置出し可能であり、位置出しされた状態で溶融金属材料を用いてレンズ枠に接合できる。
【発明を実施するための最良の形態】
【００１５】
以下、本発明を電子内視鏡１０に適用した第１の実施形態について、図１〜図４を参照しながら説明する。
図１に示す電子内視鏡１０は、操作部１１と挿入部１２を有し、挿入部１２の湾曲部１２ａは、操作部１１に設けた湾曲操作装置１３の操作に応じて上下及び左右方向に湾曲する。
操作部１１からはユニバーサルチューブ１４が延びており、このユニバーサルチューブ１４の遊端にコネクタ部１４ａが接続されている。コネクタ部１４ａには差込用突部１４ｂが突設されており、この差込用突部１４ｂは、光源装置（図示略）を内蔵するプロセッサ１５のケース１５ａに設けられた差込口１５ｂに挿脱可能である。
【００１６】
差込用突部１４ｂ、コネクタ部１４ａ、ユニバーサルチューブ１４、操作部１１及び挿入部１２の内部には、導光ファイバ１６が配設されている。
図２に示すように、挿入部１２の先端を構成する硬質材料かなる先端部材１２ｂには、その後端から前端直後にかけて長手方向を向く導光ファイバ挿通孔１２ｃが穿設されており、この導光ファイバ挿通孔１２ｃの先端には略円筒状のレンズ枠１７が嵌合固定されている。導光ファイバ１６の先端部は、導光ファイバ挿通孔１２ｃ及びレンズ枠１７に挿入されており、導光ファイバ１６の先端に形成された出射端面は、レンズ枠１７に支持された配光レンズ１８に接続されている。さらに、図２及び図４に示すように、先端部材１２ｂの先端面には導光ファイバ挿通孔１２ｃと連通する小径レンズ孔１９が形成されており、この小径レンズ孔及びレンズ枠１７には、配光レンズ１８の直前に位置する配光レンズ２０が、半田等の溶融金属材料Ｍ１によって水密状態で嵌合固定され、両配光レンズ１８、２０により照明光学系が構成される。
【００１７】
図２及び図４に示すように、先端部材１２ｂには先端部材１２ｂをその長手方向に貫通する断面円形の大径レンズ孔（レンズ孔）２１が穿設されている。大径レンズ孔２１には金属等の耐熱性材料からなる略円筒形のレンズ枠２２が水密状態で嵌合固定されており、レンズ枠２２内には照明光学系ＬＧとＣＣＤ３７が設けられている。
【００１８】
このような構成の電子内視鏡１０の差込用突部１４ｂをプロセッサ１５の差込口１５ｂに接続し、プロセッサ１５に内蔵された光源装置を点灯すると、光源装置で発生した光が導光ファイバ１６を介して、配光レンズ１８、２０から電子内視鏡１０外部に照射される。そして、観察光学系ＬＧを介して得られる画像が、プロセッサ１５に接続されたテレビモニタ（図示略）に映し出される。
【００１９】
次に、レンズ枠２２と、その内部に設けられる観察光学系ＬＧ及びＣＣＤ３７について詳しく説明する。
レンズ枠２２の内周には、その先端に正面視円形の大径孔部２３が形成されており、大径孔部２３の直後には、大径孔部２３より小径かつ正面視円形の小径孔部２４が形成され、小径孔部２４の直後には、正面視環状かつその内径が小径孔部２４より小径のストッパフランジ２５が形成されている。ストッパフランジ２５の直後には、ストッパフランジ２５の内径より大径のレンズ群保持孔２６が形成されており、レンズ群保持孔２６の直後には、レンズ群保持孔２６より大径かつ正面視円形のねじ孔２７が形成されている。さらに、ねじ孔２７の直後には、ねじ孔２７より大径かつ正面視円形のＣＣＤ保持孔２８が形成されており、全ての孔２３、２４、２６、２７、２８及びストッパフランジ２５は互いに同心をなしている。
【００２０】
観察光学系ＬＧとＣＣＤ３７は、大径レンズ孔２１に嵌合固定される前のレンズ枠２２に、以下の手順によって取り付けられる。
先ず、レンズ枠２２の後端面（大径孔部２３が設けられている側と反対の端面）を、作業台等の水平面上に載置して、レンズ枠２２の前端面を上側に向ける。そして、正面視円形かつその外径が小径孔部２４と同寸のガラスレンズＬ１を、レンズ枠２２の前側開口２２ａから小径孔部２４に落とし込み、ストッパフランジ２５に当接させる。このようにガラスレンズＬ１を小径孔部２４に嵌合すると、自動的にガラスレンズ３９の光軸がレンズ枠２２の中心軸と一致する（位置出しが行われる）。
この状態で、大径孔部２３とガラスレンズＬ１外周の間に形成された環状のクリアランス全体に、金と錫からなる溶融金属材料Ｍ２を流し込み、溶融金属材料Ｍ２を冷却させて、ガラスレンズＬ１と大径孔部２３とを接合する。ガラスレンズＬ１外周の大径孔部２３と対向する部分にはメタライズ処理が施されているので、ガラスレンズＬ１は大径孔部２３に強固に接合され、ガラスレンズＬ１と大径孔部２３の間は水密状態になる。
そして、上記小径孔部２４とガラスレンズＬ１外周により位置出し嵌合部が構成され、大径孔部２３とガラスレンズＬ１外周により環状クリアランス部が構成される。
【００２１】
次いで、レンズ枠２２の上下を逆にし、その前端面を上記水平面に載置し、後端面を上側に向ける。
この状態で、レンズ枠２２の後側開口２２ｂから、３枚のレンズ２９、３０、３１、環状スペーサ３２、３３、及び色補正フィルタ３４をレンズ枠２２内に落とし込み、これらの部材をレンズ群保持孔２６に嵌合し、先頭のレンズ２９の前面をストッパフランジ２５に当接させ、かつ、隣り合う部材同士を接触させる。これらの部材２９、３０、３１、３２、３３、３４は全て、その外径がレンズ群保持孔２６と同径でかつ正面視円形であるので、その外周面全体がレンズ群保持孔２６に接触し、各レンズ２９、３０、３１の光軸はガラスレンズＬ１の光軸と一致する（レンズ枠２２の中心軸と一致する）。
【００２２】
次いで、後側開口２２ｂから環状の押さえねじ３５をレンズ枠２２内に落とし込み、押さえねじ３５の外周に形成したねじ部３５ａをねじ孔２７に螺合して、押さえねじ３５の前面を色補正フィルタ３４の後面に接触させる。このようにしてレンズ枠２２に支持されたガラスレンズＬ１と各レンズ２９、３０、３１によって上記観察光学系ＬＧが構成される。
【００２３】
次いで、差込用突部１４ｂから挿入部１２にわたって電子内視鏡１０内に延在するＣＣＤケーブル３６を、大径レンズ孔２１の先端から電子内視鏡１０外部に引き出し、ＣＣＤケーブル３６の先端に接続された電気基板３７ａとこの電気基板３７ａに接続されたＣＣＤ（撮像素子）３７を、後側開口２２ｂからＣＣＤ保持孔２８に嵌合固定し、ＣＣＤ３７を色補正フィルタ３４の直後に位置させる。そして、図２に示すように、ＣＣＤケーブル３６の先端部を接着剤Ｓ１によってレンズ枠２２に接合する。
【００２４】
このようにレンズ枠２２とＣＣＤ３７の一体化が完了したら、レンズ枠２２を、その後端側から大径レンズ孔２１に嵌合して、レンズ枠２２の前面と先端部材１２ｂの先端面を連続させる。さらに、図２に示すように、レンズ枠２２の後端部及びＣＣＤケーブル３６を、接着剤Ｓ２によって挿入部１２の内周面に接合する。
【００２５】
このように本実施形態によれば、電子内視鏡１０の外部に露出するガラスレンズＬ１を小径孔部２４に嵌合すれば、ガラスレンズＬ１がレンズ枠２２に対して位置出しされるので、ガラスレンズＬ１の光軸をレンズ枠２２（大径レンズ孔２１）の中心軸に一致させた状態で、溶融金属材料Ｍ２によってガラスレンズＬ１をレンズ枠２２に接合できる。
また、観察光学系ＬＧの先端レンズであるガラスレンズＬ１が、電子内視鏡１０外部に露出しているので、観察光学系ＬＧの視野角が狭くなるという問題も生じない。
さらに、溶融金属材料Ｍ２としては半田等を用いることも可能であるが、本実施形態のように金と錫からなる溶融金属材料Ｍ２を用いれば、オートクレーブ滅菌に対する耐久性が向上する。
【００２６】
次に本発明の第２の実施形態について、図５を参照しながら説明する。
本実施形態は、レンズ枠４０及びガラスレンズＬ２の形状が第１の実施形態とは異なるが、その他の部材は第１の実施形態と同じであるので、同じ部材には同じ符号を付し、その詳細な説明は省略する。
【００２７】
レンズ枠４０の内周には第１の実施形態と同様に、ストッパフランジ２５、レンズ群保持孔２６、ねじ孔２７、及びＣＣＤ保持孔２８が形成されている。レンズ枠４０内周の先端部には、正面視円形かつ軸線方向の全位置において径が一定である定径嵌合孔部４１が形成されている。
ガラスレンズＬ２は正面視円形であり、その後端部が定径嵌合孔部４１と同径の円柱形の大径部Ｌ２ａとなっており、大径部Ｌ２ａより前方部分が定径嵌合孔部４１より小径の円柱形の小径部Ｌ２ｂとなっており、小径部Ｌ２ｂの外周にはメタライズ処理が施されている。
そして、定径嵌合孔部４１と大径部Ｌ２ａによって位置出し嵌合部が構成され、定径嵌合孔部４１と小径部Ｌ２ｂによって環状クリアランス部が構成されている。
また、ガラスレンズＬ２、レンズ２９、３０、３１によって観察光学系ＬＧが構成されている。
【００２８】
ガラスレンズＬ２は、第１の実施形態と同様に、レンズ２９、３０、３１、スペーサ３２、３３、色補正フィルタ３４、押さえねじ３５、ＣＣＤ３７をレンズ枠４０に装着する前に、レンズ枠４０に装着される。
具体的には、作業台等の水平面にレンズ枠４０の後端面を載置して、レンズ枠４０の前端面を上側に向け、ガラスレンズＬ２をレンズ枠４０の前側開口４０ａから定径嵌合孔部４１に落とし込み、その大径部Ｌ２ａを定径嵌合孔部４１に嵌合させ、かつ、その後面をストッパフランジ２５に当接させる。すると、ガラスレンズＬ２の外周全体が定径嵌合孔部４１に接触するので、ガラスレンズＬ２がレンズ枠４０に対して位置出しされ、ガラスレンズＬ２の光軸がレンズ枠４０の中心軸と一致する。
【００２９】
次いで、レンズ枠４０とガラスレンズＬ２の小径部Ｌ２ｂの間に形成された環状のクリアランスに溶融金属材料Ｍ２を流し込み、レンズ枠４０とガラスレンズＬ２を接合する。
【００３０】
その後に、レンズ枠４０の上下を逆にして、第１の実施形態と同様の要領で、レンズ２９、３０、３１、スペーサ３２、３３、色補正フィルタ３４、押さえねじ３５、ＣＣＤ３７をレンズ枠４０に装着し、レンズ枠４０を先端部材１２ｂの大径レンズ孔２１に装着する。
【００３１】
このような本実施形態でも、第１の実施形態と同様に、電子内視鏡１０の外部に露出するガラスレンズＬ２の大径部Ｌ２ａを定径嵌合孔部４１に嵌合すれば、ガラスレンズＬ２がレンズ枠４０に対して位置出しされるので、ガラスレンズＬ２の光軸をレンズ枠４０（大径レンズ孔２１）の中心軸に一致させた状態で、溶融金属材料Ｍ２によってガラスレンズＬ２をレンズ枠４０に接合できる。
さらに、本実施形態のレンズ枠４０は、その定径嵌合孔部４１全体が位置出し嵌合部を構成しているので、位置出し嵌合部である小径孔部２４が大径孔部２３の奥側に位置する第１の実施形態のレンズ枠２２に比べて、ガラスレンズＬ２を嵌合するのが容易である。
【００３２】
次に本発明の第３の実施形態について、図６を参照しながら説明する。
本実施形態は、レンズ枠５０及びガラスレンズＬ３の形状が第１の実施形態とは異なるが、その他の部材は第１の実施形態と同じであるので、同じ部材には同じ符号を付し、その詳細な説明は省略する。
【００３３】
レンズ枠５０の内周には第１の実施形態と同様に、ストッパフランジ２５、レンズ群保持孔２６、ねじ孔２７、及びＣＣＤ保持孔２８が形成されている。レンズ枠５０内周の先端部には、正面視円形かつ軸線方向の全位置において径が一定である定径嵌合孔部５１と、この定径嵌合孔部５１とストッパフランジ２５とに跨る環状テーパ部５２が形成されている。
正面視円形のガラスレンズＬ３は、その径が定径嵌合孔部５１より小さく一定径の定径部Ｌ３ａと、後端外周に形成された上記環状テーパ部５２に対応する形状の環状テーパ部Ｌ３ｂとを具備しており、定径部Ｌ３ａの外周全体にはメタライズ処理が施されている。
そして、環状テーパ部５２、Ｌ３ｂによって位置出し嵌合部が構成され、定径嵌合孔部５１と定径部Ｌ３ａによって環状クリアランス部が構成されている。
また、ガラスレンズＬ３、レンズ２９、３０、３１によって観察光学系ＬＧが構成されている。
【００３４】
ガラスレンズＬ３は、第１の実施形態と同様に、レンズ２９、３０、３１、スペーサ３２、３３、色補正フィルタ３４、押さえねじ３５、ＣＣＤ３７をレンズ枠５０に装着する前に、レンズ枠５０に装着される。
具体的には、作業台等の水平面にレンズ枠５０の後端面を載置して、レンズ枠５０の前端面を上側に向け、ガラスレンズＬ３をレンズ枠５０の前側開口５０ａから定径嵌合孔部５１に落とし込み、その環状テーパ部Ｌ３ｂを環状テーパ部５２に嵌合させ、かつその後面をストッパフランジ２５に当接させる。すると、ガラスレンズＬ３がレンズ枠５０に対して位置出しされ、ガラスレンズＬ３の光軸がレンズ枠５０の中心軸と一致する。
【００３５】
次いで、定径嵌合孔部５１と定径部Ｌ３ａの間に形成された環状のクリアランスに溶融金属材料Ｍ２を流し込み、レンズ枠５０とガラスレンズＬ３を接合する。
【００３６】
この後、レンズ枠５０の上下を逆にして、レンズ２９、３０、３１、スペーサ３２、３３、色補正フィルタ３４、押さえねじ３５、ＣＣＤ３７をレンズ枠５０に装着し、レンズ枠５０を先端部材１２ｂの大径レンズ孔２１に装着する。
【００３７】
このような本実施形態でも、第１の実施形態と同様に、電子内視鏡１０の外部に露出するガラスレンズＬ３の環状テーパ部Ｌ３ｂを環状テーパ部５２に嵌合すれば、ガラスレンズＬ３がレンズ枠５０に対して位置出しされるので、ガラスレンズＬ３の光軸をレンズ枠５０（大径レンズ孔２１）の中心軸に一致させた状態で、溶融金属材料Ｍ２によってガラスレンズＬ３をレンズ枠５０に接合できる。
さらに、本実施形態のレンズ枠５０は、その定径嵌合孔部５１の径がガラスレンズＬ３の径より大きいので、ガラスレンズＬ３を定径嵌合孔部５１に嵌合するのが容易であり、第１及び第２の実施形態に比べて、ガラスレンズＬ３を簡単に位置出し出来るというメリットがある。
【００３８】
最後に、本発明の第４の実施形態について、図７を参照しながら説明する。
本実施形態は、レンズ枠６０及びガラスレンズＬ４の形状が第１の実施形態とは異なるが、その他の部材は第１の実施形態と同じであるので、同じ部材には同じ符号を付し、その詳細な説明は省略する。
【００３９】
本実施形態のレンズ枠６０は、互いに別体の枠本体６１と飾り枠体６２とから構成されている。
枠本体６１の内周には第１の実施形態のレンズ枠２２と同様に、ストッパフランジ２５、レンズ群保持孔２６、ねじ孔２７、及びＣＣＤ保持孔２８が形成されている。枠本体６１内周の先端部には、枠本体６１と同心をなす正面視円形の筒状をなすかしめ部６３と、かしめ部６３の外周側に位置する環状段部６４とを具備している。
環状をなす飾り枠体６２の後部は、その内径がかしめ部６３の外径より大きい薄肉部６２ａとなっており、その前部は、薄肉部６２ａより内径が小さい厚肉部６２ｂとなっている。
【００４０】
正面視円形のガラスレンズＬ４の前部は、その径がかしめ部６３及び飾り枠体６２の内径より小さく径が一定の円柱状の小径部Ｌ４ａとなっており、その後部は、かしめ部６３の内径と同径の略円柱形の大径部Ｌ４ｂとなっており、小径部Ｌ４ａの外周全体にはメタライズ処理が施されている。
そして、かしめ部６３と大径部Ｌ４ｂによって位置出し嵌合部が構成され、小径部Ｌ４ａと飾り枠体６２によって環状クリアランス部が構成されている。
また、ガラスレンズＬ４、レンズ２９、３０、３１によって観察光学系ＬＧが構成されている。
【００４１】
ガラスレンズＬ４は、第１の実施形態と同様に、レンズ２９、３０、３１、スペーサ３２、３３、色補正フィルタ３４、押さえねじ３５、ＣＣＤ３７を枠本体６１に装着する前に、枠本体６１に装着される。
具体的には、作業台等の水平面に枠本体６１の後端面を載置して、枠本体６１の前端面を上側に向け、ガラスレンズＬ４を枠本体６１の前側開口６１ａからかしめ部６３内に落とし込み、ガラスレンズＬ４の後面をストッパフランジ２５に当接させる。すると、大径部Ｌ４ｂの外周面全体がかしめ部６３の内周面に接触するので、ガラスレンズＬ４が枠本体６１に対して位置出しされ、ガラスレンズＬ４の光軸が枠本体６１の中心軸と一致する。そしてこの状態で、図示するようにかしめ部６３を大径部Ｌ４ｂを覆うようにかしめれば、ガラスレンズＬ４が枠本体６１に対して固定される。
【００４２】
次いで、かしめ部６３の外側に飾り枠体６２を位置させ、飾り枠体６２を環状段部６４に載置する。すると、飾り枠体６２の内周面と、かしめ部６３及び小径部Ｌ４ａの間に環状のクリアランスが形成されるので、このクリアランスに溶融金属材料Ｍ２を流し込み、飾り枠体６２、ガラスレンズＬ４、及び枠本体６１を互いに接合する。
【００４３】
この後、枠本体６１の上下を逆にして、レンズ２９、３０、３１、スペーサ３２、３３、色補正フィルタ３４、押さえねじ３５、ＣＣＤ３７を枠本体６１に装着し、枠本体６１及び飾り枠体６２を先端部材１２ｂの大径レンズ孔２１に装着する。
【００４４】
このような本実施形態でも、第１の実施形態と同様に、電子内視鏡１０の外部に露出するガラスレンズＬ４をかしめ部６３内に嵌合すれば、ガラスレンズＬ４が枠本体６１に対して位置出しされるので、ガラスレンズＬ４の光軸を枠本体６１（大径レンズ孔２１）の中心軸に一致させた状態で、溶融金属材料Ｍ２によってガラスレンズＬ４を枠本体６１及び飾り枠体６２に接合できる。
【００４５】
さらに、ガラスレンズＬ４を枠本体６１に対して位置出しした後にかしめ部６３をかしめて、ガラスレンズＬ４を固定しているので、ガラスレンズＬ４の光軸が枠本体６１の中心軸に一致した状態を確実に保持できる。従って、溶融金属材料Ｍ２によりガラスレンズＬ４を枠本体６１及び飾り枠体６２に接合する際に、ガラスレンズＬ４の光軸が枠本体６１の中心軸からずれることはない。
【００４６】
本実施形態は、本発明を観察光学系ＬＧに適用したものであるが、照明光学系（配光レンズ）側に適用することも勿論可能である。
【図面の簡単な説明】
【００４７】
【図１】本発明の第１の実施形態の電子内視鏡とプロセッサを示す全体図である。
【図２】同じく図１のII-II線に沿う拡大断面図である。
【図３】同じくレンズ枠と観察光学系とその周辺部材を電子内視鏡から取り出した状態を示す拡大断面図である。
【図４】同じく挿入部の先端面の正面図である。
【図５】本発明の第２の実施形態の図３と同様の拡大断面図である。
【図６】本発明の第３の実施形態の図３と同様の拡大断面図である。
【図７】本発明の第４の実施形態の図３と同様の拡大断面図である。
【符号の説明】
【００４８】
１０      電子内視鏡（内視鏡）
１１      操作部
１２      挿入部
１２ａ    湾曲部
１２ｂ    先端部材
１２ｃ    導光ファイバ挿通孔
１３      湾曲操作装置
１４      ユニバーサルチューブ
１４ａ    コネクタ部
１４ｂ    差込用突部
１５      プロセッサ
１５ａ    ケース
１５ｂ    差込口
１６      導光ファイバ
１７      レンズ枠
１８      配光レンズ（照明光学系）
１９      小径レンズ孔
２０      配光レンズ（照明光学系）
２１      大径レンズ孔（レンズ孔）
２２      レンズ枠
２２ａ    前側開口
２２ｂ    後側開口
２３      大径孔部（環状クリアランス部）
２４      小径孔部（位置出し嵌合部）
２５      ストッパフランジ
２６      レンズ群保持孔
２７      ねじ孔
２８      ＣＣＤ保持孔
２９  ３０  ３１  レンズ（観察光学系）
３２  ３３  環状スペーサ
３４      色補正フィルタ
３５      押さえねじ
３５ａ    ねじ部
３６      ＣＣＤケーブル
３７      ＣＣＤ（撮像素子）
３７ａ    電気基板
３８      ＣＣＤケーブル
４０      レンズ枠
４０ａ    前側開口
４１      定径嵌合孔部（位置出し嵌合部）（環状クリアランス部）
５０      レンズ枠
５１      定径嵌合孔部（環状クリアランス部）
５２      環状テーパ部（位置出し嵌合部）
６０      レンズ枠
６１      枠本体
６２      飾り枠体（環状クリアランス部）
６２ａ    薄肉部
６２ｂ    厚肉部
６３      かしめ部（位置出し嵌合部）
６４      環状段部
Ｌ１      ガラスレンズ（位置出し嵌合部）（環状クリアランス部）
Ｌ２      ガラスレンズ
Ｌ２ａ    大径部（位置出し嵌合部）
Ｌ２ｂ    小径部（環状クリアランス部）
Ｌ３      ガラスレンズ
Ｌ３ａ    定径部（環状クリアランス部）
Ｌ３ｂ    環状テーパ部（位置出し嵌合部）
Ｌ４      ガラスレンズ（位置出し嵌合部）（環状クリアランス部）
Ｌ４ａ    小径部
Ｌ４ｂ    大径部
ＬＧ      観察光学系
Ｍ１  Ｍ２      溶融金属材料
Ｓ１  Ｓ２  接着剤
【図１】
2005204830.tif 000003
【図２】
2005204830.tif 000004
【図３】
2005204830.tif 000005
【図４】
2005204830.tif 000006
【図５】
2005204830.tif 000007
【図６】
2005204830.tif 000008
【図７】
2005204830.tif 000009